(57)【特許請求の範囲】
【請求項１】
本体内に設けた空気を除湿する除湿手段と、
外部と通信を行う通信手段と、
前記除湿手段と前記通信手段の制御をする制御部を有し、
前記制御部は、
衣類乾燥の自動運転をするアルゴリズムを有し、
衣類乾燥の自動運転が終了する予告情報を前記通信手段にて使用者に報知する機能を備えたことを特徴とする除湿機。
【請求項２】
制御部は、衣類乾燥の自動運転の進捗状況を一定周期で通信手段にて使用者に繰り返し報知することを特徴とした請求項１記載の除湿機。
【請求項３】
制御部は、衣類乾燥の自動運転が終了する時期に近づくほど繰り返し通信手段にて使用者に報知する周期を短くすることを特徴とした請求項１記載の除湿機。
【請求項４】
前記制御部は、
本体の周辺空気の温度を検知する温度センサと、
本体の周辺空気の湿度を検知する湿度センサを備え、
前記温度センサの検知した温度と前記湿度センサの検知した湿度から乾燥量を算出し、
この乾燥量と乾燥完了の判定値とを比較して衣類乾燥の到達の割合を算出し、
この到達の割合を前記通信手段を介して報知する請求項１〜３いずれかひとつに記載の除湿機。
【発明の詳細な説明】
【技術分野】
【０００１】
本発明は、室内に吊り下げた衣類を乾燥する機能を備えた除湿機に関する。
【背景技術】
【０００２】
従来、この種の衣類乾燥機能を備えた除湿機は、室内に吊り下げた衣類を乾燥させる場合に、除湿機に設けたタイマーの時限を使用者が設定することで、衣類乾燥運転を終了することが一般的であった（例えば、特許文献１参照）。
【先行技術文献】
【特許文献】
【０００３】
【特許文献１】特開２００１−１４１２８４号公報
【発明の概要】
【発明が解決しようとする課題】
【０００４】
従来の方法では、離れた場所にいる使用者が衣類乾燥の自動運転の状況を確認するには除湿装置を設置している場所へ確認する度に移動する必要があり、衣類乾燥の自動運転が終了した事に気付きにくく、梅雨時や雨の日などの湿度が高い環境では衣類乾燥の自動運転が終了してから使用者が衣類を取り込むまでの期間に衣類が湿気を吸収して衣類の生乾きが発生する可能性があるという問題があった。
【０００５】
本発明は、このような従来の課題を解決するものであり、衣類乾燥の自動運転の状況を通信手段で使用者に報知することにより、離れた場所でも衣類乾燥の自動運転の状況を使用者が認識することができ、梅雨時や雨の日などの湿度が高い環境でも衣類が湿気を吸収する前に衣類を取り込むことができ、衣類の生乾きの防止が図れる除湿機を提供することを目的としている。
【課題を解決するための手段】
【０００６】
本発明の除湿機は上記目的を達成するために、本体内に設けた空気を除湿する除湿手段と、外部と通信を行う通信手段と、前記除湿手段と前記通信手段の制御をする制御部を有し、前記制御部は、衣類乾燥の自動運転をするアルゴリズムを有し、衣類乾燥の自動運転が終了する予告情報を前記通信手段にて使用者に報知する機能を備えた構成としたものである。
【発明の効果】
【０００７】
本発明によれば、本体内に設けた空気を除湿する除湿手段と、外部と通信を行う通信手段と、前記除湿手段と前記通信手段の制御をする制御部を有し、前記制御部は、衣類乾燥の自動運転をするアルゴリズムを有し、衣類乾燥の自動運転が終了する予告情報を前記通信手段にて使用者に報知する機能を備えたことにより、離れた場所でも衣類乾燥の自動運転の状況を使用者が認識することができ、衣類乾燥の自動運転が終了する前に使用者が衣類を取り込む準備ができ、梅雨時や雨の日などの湿度が高い環境でも衣類が湿気を吸収する前に衣類を取り込むことができ、衣類の生乾きの防止が図れる効果のある除湿機を提供できる。
【図面の簡単な説明】
【０００８】
【図１】本発明の参考例１の除湿機の構造を示す図
【図２】同電気的な構成を示す図
【図３】同運転動作の詳細を示すフローチャート
【図４】本発明の参考例２の除湿機の運転動作の詳細を示すフローチャート
【図５】本発明の実施の形態１の除湿機の運転動作の詳細を示すフローチャート
【図６】本発明の実施の形態２の除湿機の運転動作の詳細を示すフローチャート
【発明を実施するための形態】
【０００９】
本発明の請求項１記載の発明は、本体内に設けた空気を除湿する除湿手段と、外部と通信を行う通信手段と、前記除湿手段と前記通信手段の制御をする制御部を有し、前記制御部は、衣類乾燥の自動運転をするアルゴリズムを有し、衣類乾燥の自動運転が終了する予告情報を前記通信手段にて使用者に報知する機能を備えた構成にしたことにより、離れた場所でも衣類乾燥の自動運転の状況を使用者が認識することができ、衣類乾燥の自動運転が終了する前に使用者が衣類を取り込む準備ができ、梅雨時や雨の日などの湿度が高い環境でも衣類が湿気を吸収する前に衣類を取り込むことができ、衣類の生乾きの防止が図れるという作用を有する。
【００１０】
また、制御部は、衣類乾燥の自動運転の進捗状況を一定周期で通信手段にて使用者に繰り返し報知する構成にしたことにより、使用者が一定周期で衣類乾燥の自動運転の進捗状況の報知を受けることにより、離れた場所でも衣類の乾き具合と自動運転が終了するおよその時期が把握でき、衣類の乾き具合を確認するタイミングと衣類を取り込むタイミングを適切に判断することができ、衣類の生乾き防止と過剰乾燥の防止を図れるという作用を有する。
【００１１】
また、制御部は、衣類乾燥の自動運転が終了する時期に近づくほど繰り返し通信手段にて使用者に報知する周期を短くする構成にしたことにより、使用者が一定周期で衣類乾燥の自動運転の進捗状況の報知を受けることにより、離れた場所でも衣類の乾き具合と自動運転が終了するおよその時期が把握でき、衣類の乾き具合を確認するタイミングと衣類を取り込むタイミングを適切に判断することができ、衣類の生乾き防止と過剰乾燥の防止を図れるという作用を有する。
【００１２】
以下、本発明の参考例と実施の形態について図面を参照しながら説明する。
【００１３】
（参考例１）
本発明の参考例１について図１〜図３を参照しながら説明する。まず、図１を用いて除湿機の構造を、図２を用いて電気的な構成を説明する。図１に示すように、除湿機は、本体１内に設けた除湿装置２と、送風機３と、再生ヒータ４と、制御部５に接続された本体の周辺空気の温度を検知する温度センサ６と本体の周辺空気の湿度を検知する湿度センサ７と、操作表示部８と、外部と通信を行う通信装置９と、２４時間の時計機能を有する時計１０と、本体周辺の人の存在を検知する人感センサ１１で構成される。
【００１４】
除湿装置２は、回転する除湿手段としての除湿ロータ１２と、再生ヒータ４により加熱された空気を除湿ロータ１２に送風する再生ファン１３と、熱交換器１４および水タンク１５とで構成されている。
【００１５】
送風機３の駆動により、室内から吸い込まれた空気は熱交換器１４を冷却させた後に、除湿手段としての除湿ロータ１２で吸湿され、除湿された空気が再び室内に放出されて室内の空気が除湿される。
【００１６】
除湿ロータ１２で吸湿された水分は、除湿ロータ１２の他方において、除湿ロータ１２を加熱し再生する再生ヒータ４で加熱された温風により蒸発し、熱交換器１４で冷却されて水分として凝縮して水タンク１５に貯水される。
【００１７】
なお図１において、操作表示部８には、図示しないが、除湿機の衣類乾燥の自動運転の状況を報知する機能を使用者が選択して設定する設定スイッチと、衣類乾燥の自動運転の
状況を報知する機能を設定した内容を表示するＬＥＤを収納している（詳細後述）。
【００１８】
また、通信装置９は、例えば特定小電力無線機能を有する通信端末である。また、時計１０は、例えば２４時間の時計機能を有するリアルタイムクロックＩＣである。
【００１９】
図２に示すように、制御部５は、マイクロコンピュータ２０を核とする構成である。
【００２０】
このマイクロコンピュータ２０に、除湿装置２と送風機３および再生ヒータ４がそれぞれの除湿制御手段２１と送風制御手段２２およびヒータ制御手段２３を介して接続されるとともに、温度センサ６と、湿度センサ７と、衣類乾燥運転のスタートを操作するためのスイッチや後述する衣類乾燥の自動運転の状況を報知する機能を選択して設定する設定スイッチや衣類乾燥の自動運転の状況を報知する機能を設定した内容を表示するＬＥＤが接続された操作表示部８と、通信装置９と、時計１０と、本体周辺の人の存在を検知する人感センサ１１が接続されている。
【００２１】
ここで、除湿制御手段２１は、例えば、再生ファン１３を駆動するためのモータの巻き線タップ（図示しない）を切り換えるためのリレーであり、送風制御手段２２は、例えば、送風機３を駆動するためのモータの巻き線タップ（図示しない）を切り換えるためのリレーである。また、ヒータ制御手段２３は、例えば、再生ヒータ４のタップ（図示しない）を切り換えるためのリレーである。
【００２２】
また、マイクロコンピュータ２０の内部は、空気線図２４と、乾燥完了乾燥度Ｄｘテーブル（運転初期の室内温度と相対湿度に関連した実験結果に基づく常数テーブル）２５と、乾燥条件算出手段２６と、乾燥速度算出手段２７と、乾燥量を検出する乾燥度算出手段２８を内容している。
【００２３】
また、図３に示すように制御部５は、衣類乾燥運転開始時に、温度センサ６と湿度センサ７の信号を受けて周辺空気の温度Ｔｒと相対湿度Ｈｒとから、総乾燥量としての乾燥完了の判定値Ｄｘを設定するアルゴリズム５Ａと、一定期間毎に検出した前記温度Ｔｒと相対湿度Ｈｒに基づいて衣類の乾燥速度Ｔｔを算出するアルゴリズム５Ｂと、前記一定期間毎にこの期間における乾燥速度Ｔｔの累積値∫Ｔｔを加算して乾燥量（Σ∫Ｔｔ）を算出するアルゴリズム５Ｃと、前記乾燥量が前記の乾燥完了の判定値Ｄｘに達したときに衣類の乾燥が終了したと判断するアルゴリズム５Ｄとを有する。
【００２４】
そして、マイクロコンピュータ２０は、以上の内蔵している要部が温度センサ６と、湿度センサ７と、操作表示部８と、時計１０および、人感センサ１１の情報に基づいて機能し、除湿装置２と、送風機３と、再生ヒータ４および、通信装置９を制御する構成を有する。
【００２５】
上記構成において、以下本参考例の除湿機について、その運転動作を説明する。
【００２６】
本参考例の除湿機による衣類乾燥の運転は、使用者が操作表示部８の衣類乾燥運転のスタートスイッチ（図示しない）を押した時点から、衣類乾燥運転が自動的に終了して衣類乾燥終了の報知が終了するまで、図３のフローチャートに示すアルゴリズムによって除湿機の運転が進められる。
【００２７】
図３のＳ１１において、温度センサ６と湿度センサ７が除湿機周辺空気の温度Ｔｒと相対湿度Ｈｒを検知する。
【００２８】
次に、総乾燥量としての乾燥完了の判定値Ｄｘを設定するアルゴリズム５Ａは、Ｓ１２
において、マイクロコンピュータ２０は、乾燥完了の判定値Ｄｘのテーブル２５から検知した前記温度Ｔｒと湿度Ｈｒに相当する乾燥完了の判定値Ｄｘを抽出して設定する。
【００２９】
次にＳ１３において、一定時間（例えば１分）で除湿機周辺空気の温度Ｔｒと湿度Ｈｒを検知する。
【００３０】
また、衣類の乾燥速度Ｔｔを算出するアルゴリズム５Ｂは、Ｓ１４において、前記温度Ｔｒ  と湿度Ｈｒデータに基づいてマイクロコンピュータ２０が、以下の処理を実施する。すなわち、周辺空気の温度Ｔｒと湿度Ｈｒとから、周辺空気の全熱量Ｉｒと絶対湿度Ｈｒを求める。
【００３１】
さらにＳ１５において、周辺空気の全熱量Ｉｒと絶対湿度Ｘｒから乾燥条件算出手段２６が衣類近傍空気の絶対湿度Ｘｃを推定する（この場合衣類近傍空気の相対湿度は１００％として推定する）。
【００３２】
そして、Ｓ１６において、乾燥速度算出手段２７が、温度センサ６と湿度センサ７の検出値から推定した衣類近傍空気の絶対湿度Ｘｃと温度センサ６と湿度センサ７の検出値から算出した周辺空気の絶対湿度Ｘｒとの差に係数αを乗じた乾燥速度Ｔｔ（＝α（Ｘｃ−Ｘｒ））を演算する。
【００３３】
この乾燥速度Ｔｔは、乾燥量を算出するアルゴリズム５Ｃにより、Ｓ１７で乾燥度算出手段２８において加算累積され、加算累積値∫Ｔｔとしてマイクロコンピュータ２０内のメモリに記憶される。
【００３４】
次に、衣類の乾燥が終了したと判断するアルゴリズム５Ｄは、Ｓ１８において、前記一定期間毎にこの期間における乾燥速度Ｔｔの累積値∫Ｔｔを加算して算出した乾燥量と、総乾燥量としての乾燥完了の判定値Ｄｘを比べて乾燥終了のチェックが行われ、このステップで「ＮＯ」と判断された場合、すなわち乾燥量が総乾燥量に満たない場合は、再びＳ１３に戻り、１分毎のＴｒとＨｒの検知を行い、これに基づいて前述の算出動作が行われ衣類の乾燥状態である累積値∫Ｔｔを算出しながら運転を続けることとなる。そして再びＳ１８で衣類の乾燥量が総乾燥量に達すると衣類乾燥運転が終了する。
【００３５】
次に、Ｓ２０において、時計１０から現在時刻の読み込みを行い、衣類乾燥の自動運転が終了したことを報知する時間帯かの判定を行う。報知する時間帯でなければＳ２４の処理（後述する）へジャンプし、報知する時間帯であれば、次のＳ２１の処理を行う。
【００３６】
ここで、衣類乾燥の自動運転が終了したことを報知する時間帯を使用者が操作表示部８で時刻を指定した内容である。また、使用者が就寝している時間帯（例えば２２時〜６時）をあらかじめ設定してもよい。
【００３７】
次に、Ｓ２１において、衣類乾燥の自動運転が終了したことを報知する設定がＯＮであるかの判定を行う。報知する設定がＯＦＦであればＳ２４の処理（後述する）へジャンプし、報知する設定がＯＮであれば、次のＳ２２の処理を行う。
【００３８】
ここで、衣類乾燥の自動運転が終了したことを報知する設定は、使用者が衣類乾燥の運転を開始する前に操作表示部８でＯＮまたはＯＦＦ設定を行うとする。また、使用者が衣類乾燥の運転途中に通信装置９を介してＯＮまたはＯＦＦ設定を行うとする。なお、衣類乾燥の自動運転が終了したことを報知する設定は、衣類乾燥運転開始前でも運転の途中でも設定ができるものである。
【００３９】
次に、Ｓ２２において、人感センサ１１の検知値から本体周辺に人が存在しているかの判断を行い、本体周辺に人が存在していればＳ２４の処理（後述する）へジャンプし、本体周辺に人が存在していなければ次のＳ２３の処理を行う。
【００４０】
そして、Ｓ２３において、通信装置９を介して衣類乾燥の自動運転が終了したことを使用者へ報知を行う。
【００４１】
次に、Ｓ２４において、報知する周期が経過したかの判定を行う。報知する周期が経過していたら再びＳ２０に戻り、使用者に衣類乾燥の自動運転が終了ことを報知するかの判定を行い、前述した報知する条件であれば、使用者に再度報知を行う。
【００４２】
さらに、Ｓ２５において、衣類乾燥の自動運転が終了してから一定時間経過したかの判定を行う。一定時間経過していなければ、Ｓ２４へ戻り報知する周期が経過したかの判定を行う。一定時間経過していれば前述の再度報知する処理を終了する。
【００４３】
以上説明したように本発明の除湿機は、本体内に設けた空気を除湿する除湿手段と、外部と通信を行う通信手段と、除湿手段と通信手段の制御をする制御部を有し、制御部は、衣類乾燥の自動運転をするアルゴリズムを有し、衣類乾燥の自動運転が終了したことを通信手段で使用者に一定周期で繰り返し報知して一定時間経過後に報知を停止するようにしたものである。
【００４４】
このことにより、離れた場所でも衣類乾燥の自動運転が終了したことを使用者が認識することができ、梅雨時や雨の日などの湿度が高い環境でも衣類が湿気を吸収する前に衣類を取り込むことができ、衣類の生乾きの防止が図ることができる。
【００４５】
さらに、使用者が運転開始時と運転途中に操作パネルもしくは、通信手段を介して報知する時間帯または、報知機能のＯＮ／ＯＦＦを設定した内容、または、本体周辺の人の存在を検知する人感センサの検知結果に応じて報知するものである。
【００４６】
このことにより、使い勝手の向上と省エネ性の向上を図るができる。
【００４７】
（参考例２）
図４は、本発明の参考例２を示す除湿機の運転動作の詳細を示すフローチャートである。
【００４８】
図４において、参考例１と異なるところは、報知周期を短縮するＳ３０を設けた点である。
【００４９】
図４において、参考例１と同様の構成は同一符号を用いてその説明を省略する。
【００５０】
衣類乾燥の自動運転が終了したことを通信手段を介して使用者に報知する周期が経過するタイミングでＳ３０において、報知する周期を１分を下限値として１０％短縮を行う。
【００５１】
以上説明したように本発明の除湿機は、衣類乾燥の自動運転が終了したことを徐々に周期を短くして繰り返し通信手段にて使用者に報知するようにしたものである。
【００５２】
このことにより、離れた場所でも衣類乾燥の自動運転が終了した報知に対する認識漏れの防止が図れて、梅雨時や雨の日などの湿度が高い環境でも衣類が湿気を吸収する前に衣類を取り込むことができ、衣類の生乾きの防止が図ることができる。
【００５３】
（実施の形態１）
図５は、本発明の実施の形態１を示す除湿機の運転動作の詳細を示すフローチャートである。
【００５４】
図５において、他の参考例と異なるところは、衣類乾燥の自動運転の途中で自動運転の進捗状況を通信手段にて使用者に報知するようにした点である。
【００５５】
図５において、他の参考例と同様の構成は同一符号を用いてその説明を省略する。
【００５６】
Ｓ４０において、報知周期が経過したかの判断を行う。報知周期が経過していれば、Ｓ２０の処理を行い、報知周期が経過していなければ、Ｓ１８の処理へジャンプする。
【００５７】
Ｓ４１において、乾燥速度Ｔｔの累積値∫Ｔｔを加算して算出した乾燥量と、衣類乾燥の自動運転が終了する予告判定値ａの比較を行う。乾燥速度Ｔｔの累積値∫Ｔｔを加算して算出した乾燥量が衣類乾燥の自動運転が終了する予告判定値ａに到達していなければＳ４２の処理を行い、乾燥速度Ｔｔの累積値∫Ｔｔを加算して算出した乾燥量が衣類乾燥の自動運転が終了する予告判定値ａに到達していれば、Ｓ４３の処理を行う。
【００５８】
ここで衣類乾燥の自動運転が終了する予告判定値ａは、総乾燥量としての乾燥完了の判定値Ｄｘの９０％の値とする。
【００５９】
Ｓ４２において、衣類乾燥の進捗状況を通信手段を介して使用者に報知をする。衣類乾燥の進捗状況は、総乾燥量としての乾燥完了の判定値Ｄｘに対して乾燥速度Ｔｔの累積値∫Ｔｔを加算して算出した乾燥量の到達の割合を％であらわして使用者に報知する。
【００６０】
Ｓ４３では、衣類乾燥の終了予告を通信手段を介して使用者に報知をする。衣類乾燥の終了予告は、「まもなく、衣類乾燥の自動運転が終了します。」のメッセージを使用者に送信する。
【００６１】
以上説明したように本発明の除湿機は、  衣類乾燥の自動運転の進捗状況を一定周期で通信手段にて使用者に繰り返し報知するようにしたものである。
【００６２】
このことにより、離れた場所でも衣類の乾き具合と自動運転が終了するおよその時期が把握でき、衣類の乾き具合を確認するタイミングと衣類を取り込むタイミングを適切に判断することができ、衣類の生乾き防止と過剰乾燥の防止を図ることができる。
【００６３】
（実施の形態２）
図６は、本発明の実施の形態２を示す除湿機の運転動作の詳細を示すフローチャートである。
【００６４】
図６において、実施の形態１と異なるところは、報知周期を短縮するＳ５０を設けた点である。
【００６５】
図６において、実施の形態２と同様の構成は同一符号を用いてその説明を省略する。
【００６６】
衣類乾燥の自動運転の進捗状況を通信手段を介して使用者に報知する周期が経過するタイミングでＳ５０において、報知する周期を１分を下限値として１０％短縮を行う。
【００６７】
以上説明したように本発明の除湿機は、衣類乾燥の自動運転が終了する時期に近づくほど繰り返し通信手段にて使用者に報知する周期を短くするようにしたものである。
【００６８】
このことにより、離れた場所でも衣類の乾き具合と自動運転が終了するおよその時期が把握でき、衣類の乾き具合を確認するタイミングと衣類を取り込むタイミングを適切に判断することができ、衣類の生乾き防止と過剰乾燥の防止を図ることができる。
【産業上の利用可能性】
【００６９】
本発明の除湿機は、離れた場所でも衣類乾燥の自動運転の状況を使用者が認識することができ、梅雨時や雨の日などの湿度が高い環境でも衣類が湿気を吸収する前に衣類を取り込むことができるので家庭用の除湿機に関わらず旅館など業務用の用途にも適用できる。
【符号の説明】
【００７０】
１    本体
２    除湿装置
３    送風機
４    再生ヒータ
５    制御部
５Ａ  アルゴリズム
５Ｂ  アルゴリズム
５Ｃ  アルゴリズム
５Ｄ  アルゴリズム
６    温度センサ
７    湿度センサ
８    操作表示部
９    通信装置
１０  時計
１１  人感センサ
１２  除湿ロータ
１３  再生ファン
１４  熱交換器
１５  水タンク
【図１】
0005589627.tif 000002
【図２】
0005589627.tif 000003
【図３】
0005589627.tif 000004
【図４】
0005589627.tif 000005
【図５】
0005589627.tif 000006
【図６】
0005589627.tif 000007